(57)【要約】【課題】足場板を複数段積み重ねた時に足場板どうしの横ズレ及び縦ズレを防止し得る金属製足場板を提供する。【解決手段】天板部４の幅方向両端側に補強用側枠部５，５を形成してなる足場板本体２と、上下板部７，８及び端板部９によって横断面コ字状に形成され、足場板本体２の長さ方向両端部に外嵌固定される端部カバー３，３とからなる金属製足場板において、各端部カバー３の上板部７及び下板部８に、足場板１を複数段積み重ねた時に下段側足場板１の端部カバー３の上板部７と上段側足場板１の端部カバー３の下板部８との間で互いに凹凸嵌合して足場板１，１どうしの横ズレ及び縦ズレを防止するズレ止め用の凸状部１０及び凹状部１１を設ける。【選択図】図４
2011111768.tif 000002
【特許請求の範囲】
【請求項１】
天板部の幅方向両端側に側枠部を形成してなる足場板本体と、上下板部及び端板部によって横断面コ字状に形成され、足場板本体の長さ方向両端部に外嵌固定される端部カバーとからなる金属製足場板において、各端部カバーの上板部及び下板部に、足場板を複数段積み重ねた時に下段側足場板の端部カバーの上板部と上段側足場板の端部カバーの下板部との間で互いに凹凸嵌合して足場板どうしの横ズレ及び縦ズレを防止するズレ止め用の凸状部及び凹状部を設けてなる金属製足場板。
【請求項２】
各端部カバーの上板部及び下板部が足場板本体に対しリベットによって固定されている時に、上板部又は下板部に設けられたズレ止め用凸状部の上板部上面又は下板部下面からの突出高さが、上板部上面及び下板部下面に突出するリベット頭の突出高さより高くなっている請求項１に記載の金属製足場板。
【請求項３】
ズレ止め用凹状部は、端部カバーの下板部又は上板部を貫通する孔からなる請求項１又は２に記載の金属製足場板。
【請求項４】
ズレ止め用凹状部は、端部カバーの下板部又は上板部を貫通せず、下板部の下面又は上板部の上面を凹ませて形成した凹陥部からなる請求項１又は２に記載の金属製足場板。
【発明の詳細な説明】
【技術分野】
【０００１】
本発明は、建設工事の仮設足場として使用される金属製足場板に関するものである。
【背景技術】
【０００２】
一般に使用されている金属製足場板は、亜鉛メッキ鋼板をプレス加工により一体成型した長尺状足場板本体の長さ方向両端部に夫々端部カバーを外嵌固定し、足場板本体の下面に樹脂押出材や塗布材などの滑り止めを施すことによって形成される鋼製長尺足場板で、長さ４ｍ、幅２４〜２５ｃｍ、高さ（厚み）３〜４ｃｍのものが多く使用されている。また、この鋼製長尺足場板では、足場板本体の両端部に端部カバーを固定するのに、足場板本体の端部に嵌合した端部カバーを、足場板本体に対し、スポット溶接等によって足場板本体に固定する場合と、リベットによって固定する場合があるが、端部カバーを溶接によって足場板本体に固定する場合、スポット溶接等部分の亜鉛メッキが熱により蒸発して防錆性が劣化するなどの問題があることから、リベットによる固定方法が好ましいとされている。
【発明の概要】
【発明が解決しようとする課題】
【０００３】
ところで、この金属製足場板には、現場での設置時に足場板が滑らないように、足場板本体の下面に上記のように滑り止めが施されているが、足場板を保管したり移動する際に足場板を複数段に積み重ねる時には、そのような滑り止めが十分機能せず、荷崩れを起こし易かった。また移動搬送時には、図７に示すように金属製足場板を複数段に積み重ねてバンドで結束することが一般に行われているが、従来の金属製足場板では、互いに上下に重なり合った足場板が縦方向や横方向にズレを生じて、結束作業に非常に手間がかかっていた。
【０００４】
特に、足場板本体の端部に嵌合した端部カバーがリベットによって固定された足場板にあっては、下段側足場板の端部カバーの上面に突出するリベットの頭が上段側足場板の端部カバーの下面に当接すると共に、上段側足場板の端部カバーの下面に突出するリベットの頭が下段側足場板の端部カバーの上面に当接する状態になることから、足場板どうしが滑り易くなって、縦ズレや横ズレの傾向が大きかった。
【０００５】
本発明は、上記のような事情に鑑み、足場板を複数段積み重ねた時に足場板どうしの横ズレ及び縦ズレを防止し得る金属製足場板を提供することを目的とする。
【課題を解決するための手段】
【０００６】
上記課題を解決するための手段を、後述する実施形態の参照符号を付して説明すると、請求項１に係る発明は、天板部４の幅方向両端側に側枠部５，５を形成してなる足場板本体２と、上下板部７，８及び端板部９によって横断面コ字状に形成され、足場板本体２の長さ方向両端部に外嵌固定される端部カバー３，３とからなる金属製足場板において、各端部カバー３の上板部７及び下板部８に、足場板１を複数段積み重ねた時に下段側足場板１の端部カバー３の上板部７と上段側足場板１の端部カバー３の下板部８との間で互いに凹凸嵌合して足場板１，１どうしの横ズレ及び縦ズレを防止するズレ止め用の凸状部１０及び凹状部１１を設けてなることを特徴とする。
【０００７】
請求項２は、請求項１に記載の金属製足場板において、各端部カバー３の上板部７及び下板部８が足場板本体２に対しリベットによって固定されている時に、上板部７又は下板部８に設けられたズレ止め用凸状部１０の上板部７上面又は下板部８下面からの突出高さＨが、上板部７上面及び下板部８下面に突出するリベット頭１７の突出高さｈより高くなっていることを特徴とする。
【０００８】
請求項３は、請求項１又は２に記載の金属製足場板において、ズレ止め用凹状部１１は、端部カバー３の下板部８又は上板部７を貫通する孔１１ａからなることを特徴としている。
【０００９】
請求項４は、請求項１又は２に記載の金属製足場板において、ズレ止め用凹状部１１は、端部カバー３の下板部８又は上板部７を貫通せず、下板部８の下面又は上板部７の上面を凹ませて形成した凹陥部１１ｂからなることを特徴とする。
【発明の効果】
【００１０】
上記解決手段による発明の効果を、後述する実施形態の参照符号を付して説明すると、請求項１に係る発明によれば、各端部カバー３の上板部７及び下板部８には、足場板１の積み重ね時に下段側足場板１の端部カバー３の上板部７と上段側足場板１の端部カバー３の下板部８との間で互いに凹凸嵌合するズレ止め用の凸状部１０及び凹状部１１を設けているから、足場板１を複数段積み重ねた時に足場板どうしの横ズレ及び縦ズレを防止することができる。
【００１１】
また、金属製足場板１を複数段に積み重ねてバンド２０によって結束する際に、下段側足場板１の端部カバー３の上板部７と上段側足場板１の端部カバー３の下板部８との間で凸状部１０と凹状部１１とが互いに凹凸嵌合することにより、足場板１，１どうしの横ズレ及び縦ズレを防止できるから、結束作業を容易に行うことができる。
【００１２】
請求項２に係る発明によれば、各端部カバー３の上板部７及び下板部８が足場板本体２に対しリベットで固定されている場合に、上板部７又は下板部８に設けられたズレ止め用凸状部１０の上板部７上面又は下板部８下面からの突出高さＨが、上板部７上面及び下板部８下面に突出するリベット頭１７の突出高さｈより高くなっているから、例えば、上段側足場板１の端部カバー３の下板部８下面に突出するリベット頭１７が下段側足場板１の端部カバー３の上板部７上面に当接すると共に、下段側足場板１の端部カバー３の上板部７上面に突出するリベット頭１７が上段側足場板１の端部カバー３の下板部８下面に当接して、足場板１，１どうしが滑り易い状態にあるにもかかわらず、凸状部１０が凹状部１１に十分嵌合することができて、上下に対面する足場板１，１は、互いに横ズレしたり縦ズレすることなく、定位置に固定されることになる。
【００１３】
請求項３に記載のように、ズレ止め用凹状部１１が、端部カバー３の下板部８又は上板部７を貫通する孔１１ａからなる場合は、端部カバー３の下板部８又は上板部７に孔開け加工をすればよいから、製作的に容易である。
【００１４】
請求項４に記載のように、ズレ止め用凹状部１１が、端部カバー３の下板部８又は上板部７を貫通せず、下板部８の下面又は上板部７の上面を凹ませて形成した凹陥部１１ｂからなる場合は、端部カバー３の下板部８又は上板部７に孔を開けて凹状部を形成する場合に比べ、端部カバー３の下板部８又は上板部７の強度を高めることができ、足場板の使用寿命を延ばすことができる。
【図面の簡単な説明】
【００１５】
【図１】(a) は本発明に係る金属製足場板の一実施形態を示す平面図、(b) は正面図、(c) は裏面図である。
【図２】(a) は図１の(a) の矢印Ｘで示す部分の拡大図、(b) は同部分の左側面図、(c) は同部分の裏面図である。
【図３】同金属製足場板の足場板本体の横断面図である。
【図４】(a) は同金属製足場板の一部を足場板の上側から見た斜視図、(b) は天板部の下側から見た斜視図である。
【図５】足場板を複数段に重ねた状態の一部断面側面図である。
【図６】(a) 〜(c) は本発明に係る金属製足場板の他の実施形態を示す図５と同様な一部断面側面図である。
【図７】足場板を複数段に重ねた状態を足場板の上側から見た斜視図である。
【発明を実施するための形態】
【００１６】
以下に本発明の好適な一実施形態を図面に基づいて説明すると、図１〜図７において、１は本発明に係る金属製足場板で、鋼製の長尺状足場板本体２と、この足場板本体２の長さ方向両端部に外嵌固定される同じく鋼製の端部カバー３，３とにより構成される。この足場板１の寸法を参考までに示せば、長さは４ｍ、３ｍ、２ｍ、１ｍの４種類があり、幅は２４〜２５ｃｍ、高さ（厚み）は３〜４ｃｍである。
【００１７】
上記足場板本体２は、図３に示すように、亜鉛メッキ鋼板材をプレス加工して、天板部４の幅方向両端側に横断面コ字状の補強用側枠部５，５を形成すると共に、天板部４の幅方向中央部に横断面逆Ｔ字状の補強用中央枠部６を形成した足場板本体２と、上板部７、下板部８及び上下板部７，８をつなぐ端板部９により横断面コ字状に形成されていて、足場板本体２の長さ方向両端部に外嵌固定される端部カバー３，３と、足場板本体２の両側の補強用側枠部５，５を下面側で連結する複数のつなぎ材１２とからなるもので、図２及び図４に示すように、各端部カバー３の上板部７及び下板部８には、足場板１を複数段積み重ねた時に下段側足場板１の端部カバー３の上板部７と上段側足場板１の端部カバー３の下板部８との間で互いに凹凸嵌合して足場板１，１どうしの横ズレ及び縦ズレを防止するズレ止め用の凸状部１０及び凹状部１１が設けられている。
【００１８】
足場板本体２の天板部４には、図１の(a) 、図２の(a) 及び図４の(a) に示すように、その全面に亙って滑り止め用の抜き孔１３が設けられ、また図１の(c) 、図３の(b) 及び図４の(b) に示すように、各補強用側枠部５の下面には、現場での設置時に足場板の滑りを防止するための樹脂製の塗布材が塗布され、その滑り止め部を１４で示す。また、天板部４には端部カバー３との境界部に、上面側が凹んだ凹溝状の補強用リブ１５が形成されている。また足場板本体２の補強用中央枠部６には鋼板材の重ね合わせ部分を固定するためにカシメが施され、そのカシメ部を図中１６で示す。
【００１９】
足場板本体２の両端部に夫々嵌合された端部カバー３は、リベットによって足場板本体２に固定されている。即ち、図２に示すように、端部カバー３の上板部７が足場板本体２の天板部４に、また下板部８が補強用側枠部５に夫々リベットで固定されており、これらリベットの頭を図面中に１７で示す。尚、端部カバー３は、上板部７と下板部８と端板部９とに加え、端板部９の長手方向両端部から内向きに折曲された舌片部１８を有し、この舌片部１８は、足場板本体２の補強用側枠部５の端部を覆うようになっている。
【００２０】
図１〜図５に示す端部カバー３の上板部７に設けられているズレ止め用凸状部１０は、プレス加工によって上板部７の上面に突出するように形成されたもので、図５に示すように、上板部７上面からの突出高さＨが、同じ上板部７上面に突出するリベット頭１７の突出高さｈよりも十分高くなっている。また、端部カバー３の下板部８に設けられているズレ止め用凹状部１１は、上板部７側の凸状部１０が嵌合するように上板部７を貫通する孔１１ａからなる。ここに例示した凸状部１０は、足場板本体２の幅方向に長い凸状部であり、凹状部１１も、足場板本体２の幅方向に長い長孔状となっている。
【００２１】
上記のように構成される金属製足場板１を複数段積み重ねた状態を図５に示している。即ち、図示のように互いに上下に対面する足場板１，１間において、下段側足場板１の端部カバー３の上板部７上面に突出する凸状部１０が、上段側足場板１の端部カバー３の下板部８に設けられた孔１１ａからなる凹状部１１に嵌合することによって、足場板１，１どうしの横ズレ及び縦ズレが防止される。
【００２２】
この場合、上段側足場板１の端部カバー３の下板部８下面に突出するリベット頭１７が下段側足場板１の端部カバー３の上板部７上面に当接すると共に、下段側足場板１の端部カバー３の上板部７上面に突出するリベット頭１７が上段側足場板１の端部カバー３の下板部８下面に当接するため、足場板１，１どうしが滑り易い状態にあるにもかかわらず、各端部カバー３の上板部７上面からの凸状部１０の突出高さＨが、上板部７下面に突出するリベット頭１７の突出高さｈよりも高くなっていることから、凸状部１０が凹状部１１に十分嵌合することができて、上下に対面する足場板１，１は、互いに横ズレしたり縦ズレすることなく、定位置に固定されることになる。
【００２３】
以上の実施形態に示す金属製足場板１では、端部カバー３の上板部７上面に凸状部１０を突設し、この凸状部１０が嵌合する孔１１ａからなる凹状部１１を下板部８に設けているが、図６の(a) に示す他の実施形態は、端部カバー３の上板部７には先の実施形態と同じように上面に凸状部１０を突設する一方、端部カバー３の下板部８に設ける凹状部１１として、下板部８を貫通することなく、下板部８の下面側を凹ませて形成した凹陥部１１ｂからなるものを示している。
【００２４】
また、図６の(b) に示す実施形態は、端部カバー３の上板部７には上板部７を貫通する孔１１ａからなる凹状部１１を設け、この凹状部１１に嵌合する凸状部１０を下板部８の下面に突設したものを示している。図６の(c) に示す実施形態は、端部カバー３の上板部７には、上板部７を貫通することなく、上板部７の上面を凹ませて形成した凹陥部１１ｂからなる凹状部１１を設け、この凹陥部１１ｂからなる凹状部１１に嵌合する凸状部１０を下板部８の下面に突設したものを示している。尚、図６の(c) の実施形態では、端部カバー３の上板部７上面を凹ませて凹状部１１を形成するから、足場板本体２の天板部４には凹状部１１を受け入れる凹陥部１９が設けられる。
【００２５】
ズレ止め用凹状部１１が端部カバー３の下板部８又は上板部７を貫通する孔１１ａからなる場合は、端部カバー３の下板部８又は上板部７に孔開け加工をすればよいから、製作的に容易である。また、ズレ止め用凹状部１１が端部カバー３の下板部８又は上板部７を貫通せず、下板部８又は上板部７の上面側を凹ませて形成した凹陥部１１ｂからなる場合は、端部カバー３の下板部８又は上板部７に孔を開けて凹状部を形成する場合に比べ、端部カバー３の下板部８又は上板部７の強度を高めることができ、足場板の使用寿命を延ばすことができる。
【００２６】
図６の(a) 〜(c) に示す何れの実施形態も、各端部カバー３に設けてある凹状部１１と凸状部１０とにより、下段側足場板１の端部カバー３の上板部７と上段側足場板１の端部カバー３の下板部８との間で互いに凹凸嵌合して足場板１，１どうしの横ズレ及び縦ズレを防止することができる。
【００２７】
また、図１〜図６に示した実施形態の金属製足場板１では、各端部カバー３の上板部７又は下板部８に凸状部１０を設け、各凸状部１０が嵌合する凹状部１１を下板部８又は上板部７に設けているが、各端部カバー３の上板部７及び下板部８の何れにも凸状部１０と凹状部１１とを設けて、足場板１の積み重ね時に下段側足場板１の端部カバー３の上板部７に設けた凸状部１０及び凹状部１１が、上段側足場板１の端部カバー３の下板部８に設けた凹状部１１及び凸状部１０に対し夫々凹凸嵌合するようにしてもよい。
【００２８】
上述した実施形態では、凸状部１０及び凹状部１１の形状を平面視長円形状としているが、これに限るものではなく、凸状部１０と凹状部１１とが凹凸嵌合して足場板１，１どうしの横ズレ及び縦ズレを防止できるものであれば、どのような形状でもよい。
【００２９】
図７は、上述したような金属製足場板１を複数段に積み重ねて、結束用のバンド２０で結束した状態を示したものである。このように金属製足場板１を複数段に積み重ねてバンドで結束する時に、従来の金属製足場板では、上下に重なり合った足場板が縦方向や横方向にズレを生じて結束作業に非常に手間がかかっていたが、この発明の金属製足場板１にあっては、下段側足場板１の端部カバー３の上板部７と上段側足場板１の端部カバー３の下板部８との間でズレ止め用の凸状部１０と凹状部１１とが互いに凹凸嵌合することにより、足場板１，１どうしの横ズレ及び縦ズレを防止でき、結束作業を容易に行うことができる。
【符号の説明】
【００３０】
１            金属製足場板
２            足場板本体
３            端部カバー
４            天板部
５            補強用側枠部
６            補強用中央枠部
７            端部カバーの上板部
８            端部カバーの下板部
９            端部カバーの端板部
１０          ズレ止め用の凸状部
１１          ズレ止め用の凹条部
１７          リベット頭
【図１】
2011111768.tif 000003
【図２】
2011111768.tif 000004
【図３】
2011111768.tif 000005
【図４】
2011111768.tif 000006
【図５】
2011111768.tif 000007
【図６】
2011111768.tif 000008
【図７】
2011111768.tif 000009